(57)【要約】  分散アンテナシステムは、移動局走路（３０，３１）に沿った第１方向に向けてビームを形成して同一周波数で同一信号を送信する複数の第１のアンテナ（２−１−１ａから２−３−３ａ）を備えた複数の第１のアンテナ群（１−１ａから１−３ａ）と、第２方向に向けてビームを形成して同一周波数で同一信号を送信する複数の第２のアンテナ（２−１−１ｂから２−３−３ｂ）を備えた複数の第２のアンテナ群（１−１ｂから１−３ｂ）と、を備え、第１のアンテナと第２のアンテナとが移動局走路を挟んで向かい合わせに設置され、第１のアンテナ群の各々では、隣接している他の第１のアンテナ群で使用されている周波数とは異なる周波数を使用し、第２のアンテナ群の各々では、隣接している他の第２のアンテナ群で使用されている周波数とは異なる周波数を使用し、第１のアンテナ群が使用する周波数と第２のアンテナ群が使用する周波数の合計が２周波数である。
2017163425.tif 000002
【特許請求の範囲】
【請求項１】
移動局の走路である移動局走路に沿った第１方向に向けてビームを形成して同一周波数で同一信号を送信する複数の第１のアンテナを備えた複数の第１のアンテナ群と、
前記第１方向の反対方向である第２方向に向けてビームを形成して同一周波数で同一信号を送信する複数の第２のアンテナを備えた複数の第２のアンテナ群と、
を備え、
前記複数の第１のアンテナと前記複数の第２のアンテナとが前記移動局走路を挟んで向かい合わせに設置され、
前記複数の第１のアンテナ群の各々では、隣接している他の第１のアンテナ群で使用されている周波数とは異なる周波数を使用し、
前記複数の第２のアンテナ群の各々では、隣接している他の第２のアンテナ群で使用されている周波数とは異なる周波数を使用し、
前記第１のアンテナ群が使用する周波数と前記第２のアンテナ群が使用する周波数の合計が２周波数である、
ことを特徴とする分散アンテナシステム。
【請求項２】
前記複数の第１のアンテナ群と前記複数の第２のアンテナ群とが前記移動局走路を挟んで向かい合わせに設置され、
前記移動局走路路を挟んで向かい合っている前記第１のアンテナ群および前記第２のアンテナ群では同じ周波数を使用する、
ことを特徴とする請求項１に記載の分散アンテナシステム。
【請求項３】
前記複数の第１のアンテナ群と前記複数の第２のアンテナ群とが前記移動局走路を挟んで向かい合わせに設置され、
前記移動局走路路を挟んで向かい合っている前記第１のアンテナ群および前記第２のアンテナ群では異なる周波数を使用する、
ことを特徴とする請求項１に記載の分散アンテナシステム。
【請求項４】
前記移動局走路路を挟んで向かい合っている前記第１のアンテナ群および前記第２のアンテナ群においては、１つの第１のアンテナと１つの第２のアンテナとが前記移動局走路を挟んで前記移動局走路と平行方向の同一位置に設置されている、
ことを特徴とする請求項２または３に記載の分散アンテナシステム。
【請求項５】
前記移動局走路路を挟んで向かい合っている前記第１のアンテナ群および前記第２のアンテナ群において同じ信号を送信する、
ことを特徴とする請求項２から４のいずれか一つに記載の分散アンテナシステム。
【請求項６】
前記複数の第１のアンテナおよび前記複数の第２のアンテナは、１つの第１のアンテナと１つの第２のアンテナとが前記移動局走路を挟んで前記移動局走路と平行方向の同一位置となるように設置されており、
前記第１のアンテナ群の前記第２方向の端部に位置している第１のアンテナと前記第２のアンテナ群の前記第１方向の端部に位置している第２のアンテナとが前記移動局走路を挟んで前記移動局走路と平行方向の同一位置に設置されて同じ周波数を使用するように、前記複数の第１のアンテナ群および前記複数の第２のアンテナ群が形成されている、
ことを特徴とする請求項１に記載の分散アンテナシステム。
【請求項７】
前記第１のアンテナ群の前記第２方向の端部に位置している第１のアンテナ以外の第1のアンテナは、前記移動局走路を挟んで前記移動局走路と平行方向の同一位置となるように設置されている第２のアンテナが送信する信号と同じ信号を送信する、
ことを特徴とする請求項６に記載の分散アンテナシステム。
【請求項８】
前記第１のアンテナが放射する電波の偏波面と前記第２のアンテナが放射する電波の偏波面が直交している、
ことを特徴とする請求項１から７のいずれか一つに記載の分散アンテナシステム。
【発明の詳細な説明】
【技術分野】
【０００１】
本発明は、分散配置された複数のアンテナにより構成される分散アンテナシステムに関する。
【背景技術】
【０００２】
予め定められた経路上を走行する列車および自動車といった移動局と基地局とが無線通信を行うことを想定した通信システムでは、非特許文献１に記載されているように、移動局の移動経路に沿って分散配置される指向性アンテナを具備した基地局を設置し、移動経路に沿って基地局がアンテナビームを形成することが好適である。これにより、移動経路に沿った細長いセルを構成することができ、他システムへの干渉を抑圧しつつ、セル長を大きくすることができる。分散配置された複数のアンテナから同一信号を同一周波数で同期して送受信することにより形成される一定の通信エリアはリニアセルと呼ばれる。【０００３】
リニアセルは、例えば、１つの通信モデムから複数の分散配置されたアンテナの各々まで光ファイバ等により張り出す形態、または、各アンテナに設置される通信モデムが互いに同期して無線信号を共有する形態により実現可能である。【０００４】
複数のセルから構成される従来のマルチセルシステムでは、セル間干渉を抑圧するため、３周波数以上の繰り返しが必要であった。一方、リニアセル構成とすることでセル長を大きくすることができ、オーバーリーチによる干渉が軽減されることから、非特許文献１に示されるような２周波数繰り返しによるシステム構築が可能となり、周波数利用効率が向上する。オーバーリーチとは、あるセルにおいて基地局のアンテナから送信された信号が、隣接するセルを越えてさらに隣のセルまで届く現象である。
【先行技術文献】
【非特許文献】
【０００５】
【非特許文献１】西本浩他、“高速移動体向けミリ波リニアセルの提案”、電子情報通信学会総合大会、Ｂ−５−７７、２０１５年３月
【発明の概要】
【発明が解決しようとする課題】
【０００６】
非特許文献１に記載された技術では、移動経路を挟んだ片側にのみ基地局を設置した場合について検討されている。この非特許文献１に記載された構成では、移動局である列車または自動車のすれ違いが発生すると、車体により電波が遮蔽され、基地局が設置されている側の車線と反対側の車線を走行する移動局では基地局からの電波を受信できず、通信が断絶するおそれがある。【０００７】
本発明は、上記に鑑みてなされたものであって、複数のリニアセルから構成される無線通信システムにおいて、通信の信頼性を向上させることが可能な分散アンテナシステムを得ることを目的とする。
【課題を解決するための手段】
【０００８】
上述した課題を解決し、目的を達成するために、本発明にかかる分散アンテナシステムは、移動局の走路である移動局走路に沿った第１方向に向けてビームを形成して同一周波数で同一信号を送信する複数の第１のアンテナを備えた複数の第１のアンテナ群と、第１方向の反対方向である第２方向に向けてビームを形成して同一周波数で同一信号を送信する複数の第２のアンテナを備えた複数の第２のアンテナ群と、を備える。複数の第１のアンテナと複数の第２のアンテナとが移動局走路を挟んで向かい合わせに設置される。また、複数の第１のアンテナ群の各々では、隣接している他の第１のアンテナ群で使用されている周波数とは異なる周波数を使用し、複数の第２のアンテナ群の各々では、隣接している他の第２のアンテナ群で使用されている周波数とは異なる周波数を使用し、第１のアンテナ群が使用する周波数と第２のアンテナ群が使用する周波数の合計が２周波数である。
【発明の効果】
【０００９】
本発明によれば、通信の信頼性を向上させることが可能な分散アンテナシステムを実現できるという効果を奏する。
【図面の簡単な説明】
【００１０】
【図１】実施の形態１にかかる分散アンテナシステムの構成例を示す図
【図２】実施の形態１にかかる移動局の構成例を示す図
【図３】実施の形態２にかかる分散アンテナシステムの構成例を示す図
【図４】実施の形態３にかかる分散アンテナシステムの構成例を示す図
【発明を実施するための形態】
【００１１】
以下に、本発明の実施の形態にかかる分散アンテナシステムを図面に基づいて詳細に説明する。なお、この実施の形態によりこの発明が限定されるものではない。
【００１２】
実施の形態１．
図１は、本発明の実施の形態１にかかる分散アンテナシステムの構成例を示す図である。実施の形態１にかかる分散アンテナシステム６０は、図示を省略した基地局とともに移動体通信システムを形成する。図１に示したように、実施の形態１にかかる分散アンテナシステム６０は、移動局の走路である移動局走路３０および３１に沿って設置された複数のアンテナ２−ｃ−ｎａおよび２−ｃ−ｎｂを備える（ｃ＝１，２，３，…、ｎ＝１，２，３，…）。なお、移動局は、例えば、鉄道車両、自動車など、予め決められた方向に移動する移動体に搭載された無線通信装置である。複数のアンテナ２−ｃ−ｎａおよび２−ｃ−ｎｂは、図示を省略した基地局に接続され、基地局から出力された移動局向けの信号を受け取り無線信号として送信するとともに、移動局から基地局に向けて送信された無線信号を受信して基地局へ中継する。
【００１３】
分散アンテナシステム６０において、アンテナ群１−ｃａは、連続する複数のアンテナ２−ｃ−ｎａを一組としたアンテナ群である。アンテナ群１−ｃｂは、連続する複数のアンテナ２−ｃ−ｎｂを一組としたアンテナ群である。ここで、ｃはアンテナ群インデックス、ｎはアンテナ群内におけるアンテナインデックスであり、それぞれ、図１の左側から順に１，２，３，…とする。また、ｎはアンテナ２−ｃ−ｎａと２−ｃ−ｎｂとで独立とする。
【００１４】
移動局走路３０および３１は、図２に示す移動局４の移動走路であり、移動局４は移動局走路３０または３１上を一定方向に移動するものとする。ここでは、一例として、移動局４は、移動局走路３０上を移動する場合は図１の右側方向、すなわち矢印３２で示した方向に移動する。また、移動局４は、移動局走路３１上を移動する場合は図１の左側方向、すなわち矢印３３で示した方向に移動するものとする。
【００１５】
アンテナ２−ｃ−ｎａは移動局走路３０に沿って設置される。また、アンテナ２−ｃ−ｎｂは、移動局走路３１に沿って設置される。アンテナ２−ｃ−ｎａおよび２−ｃ−ｎｂは指向性アンテナであり、移動局４の移動方向にビームを形成する。また、アンテナ２−ｃ−ｎａとアンテナ２−ｃ−ｎｂは、指向性が反対方向となるように設置される。ここでは、アンテナ２−ｃ−ｎａは図１の左側方向、すなわち矢印３３が示す方向にビームを形成し、アンテナ２−ｃ−ｎｂは図１の右側方向、すなわち矢印３２が示す方向にビームを形成するものとする。また、アンテナ群インデックスｃとアンテナ群内におけるアンテナインデックスｎが共通の値となるアンテナ２−ｃ−ｎａおよびアンテナ２−ｃ−ｎｂは、移動局走路３０および３１を挟んで向かい合った位置に設置される。ここで、向かい合った位置とは、アンテナ２−ｃ−ｎａの設置位置とアンテナ２−ｃ−ｎｂの設置位置とを結んだ直線が移動局走路３０および３１と直交する位置、すなわち、移動局走路３０および３１を挟んで移動局走路３０および３１と平行方向の同一位置とする。
【００１６】
アンテナ群１−ｃａ内のアンテナ２−ｃ−ｎａは、図示を省略した基地局が備えている１つの変調装置に図示を省略した信号線を介して接続される。同様に、アンテナ群１−ｃｂ内のアンテナ２−ｃ−ｎｂは、アンテナ２−ｃ−ｎａが接続されている変調装置とは異なる１つの変調装置（図示せず）、または、アンテナ２−ｃ−ｎａが接続されている変調装置のアンテナ２−ｃ−ｎａが接続されている出力ポートとは異なる出力ポートに図示を省略した信号線を介して接続される。ここで、変調装置と各アンテナとを接続する信号線は、同軸ケーブル、および光ファイバなど、信号を伝送できる有線ケーブルであれば、媒体は問わない。
【００１７】
同一アンテナ群に属するアンテナ２−ｃ−ｎａは、同一周波数で同一信号Ｓａを送信し、１つの線状セルを形成する。すなわち、１つのアンテナ群１−ｃａに属するアンテナ２−ｃ−ｎａで１つの線状セルを形成する。線状セルはリニアセルとも呼ばれる。また、同一アンテナ群に属するアンテナ２−ｃ−ｎｂは、自アンテナのアンテナ群インデックスｃと同じアンテナ群インデックスのアンテナ２−ｃ−ｎａから送信される信号と同じ周波数で同一信号Ｓｂを送信し、１つの線状セルを形成する。すなわち、１つのアンテナ群１−ｃｂに属するアンテナ２−ｃ−ｎｂで１つの線状セルを形成する。また、アンテナ群インデックスｃが同じアンテナ２−ｃ−ｎａが送信する信号Ｓａとアンテナ２−ｃ−ｎｂが送信する信号Ｓｂは同一信号とする（Ｓａ＝Ｓｂ）。
【００１８】
また、隣接アンテナ群間では異なる周波数を、次々隣接アンテナ群間、すなわちアンテナ群を１つ挟んで隣接しているアンテナ群間では同一周波数を使用し、周波数繰り返し数は２とする。例えば、アンテナ群１−１ａに属するアンテナ２−１−ｎａおよびアンテナ群１−１ｂに属するアンテナ２−１−ｎｂの送信周波数をｆ１とすると、アンテナ群１−２ａに属するアンテナ２−２−ｎａおよびアンテナ群１−２ｂに属するアンテナ２−２−ｎｂの送信周波数はｆ２（≠ｆ１）とし、アンテナ群１−３ａに属するアンテナ２−３−ｎａおよびアンテナ群１−３ｂに属するアンテナ２−３−ｎｂの送信周波数はｆ１とする。
【００１９】
移動局４は、指向性アンテナであるアンテナ５０および５１を具備する。アンテナ５０および５１の一方は、移動局４の移動方向にビームを形成する。アンテナ５０および５１の他方は、移動局４の移動方向とは逆の方向にビームを形成する。すなわち、アンテナ５０がビームを形成する方向とアンテナ５１がビームを形成する方向とは逆の向きとなる。ここでは、アンテナ５０は図１の左側方向、すなわち、矢印３３で示した方向にビームを形成し、アンテナ５１は図１の右側方向、すなわち矢印３２で示した方向にビームを形成するものとする。つまり、移動局４のアンテナ５０はアンテナ２−ｃ−ｎｂからの電波を受信することができ、アンテナ５１はアンテナ２−ｃ−ｎａからの電波を受信することができる。ここで、アンテナ２−ｃ−ｎａ、２−ｃ−ｎｂ、５０および５１は、いずれも、ビーム幅の狭い指向性アンテナとし、正対しているアンテナ以外からの電波、すなわち、反射波の影響は無視できるものとする。
【００２０】
ここで、移動局４は、自身が走行する移動局走路と反対側の移動局走路を走行する他の移動局とのすれ違いが発生しない場合、アンテナ２−ｃ−ｎａおよび２−ｃ−ｎｂの双方と通信が可能である。すなわち、他の移動局とのすれ違いが発生しない場合、移動局４のアンテナ５０はアンテナ２−ｃ−ｎｂと通信が可能であり、アンテナ５１はアンテナ２−ｃ−ｎａと通信が可能である。これに対して、すれ違いが発生する場合、移動局４が走行している移動局走路と反対側の移動局走路側に設置されているアンテナからの電波が反対側の移動局走路を走行している他の移動局によって遮蔽されるため、通信が途切れる。しかし、移動局４が走行している移動局走路側に設置されているアンテナからの電波は遮蔽されないため、通信の継続が可能である。一例として、移動局４が移動局走路３０上を矢印３２が示す方向に走行し、移動局走路３１上を走行する他の移動局とすれ違う場合、アンテナ２−ｃ−ｎｂからの電波が他の移動局に遮蔽されるため、アンテナ５０では受信できず、通信が途切れる。一方、アンテナ２−ｃ−ｎａからの電波はアンテナ５１で受信でき、通信可能である。
【００２１】
したがって、制御信号など通信の瞬断が許容されない高信頼データについて、アンテナ２−ｃ−ｎａおよび２−ｃ−ｎｂから同じデータを送信し、移動局側で正しく受信できた方のデータを選択することで、移動局すれ違い時の通信の瞬断を抑圧することができる。
【００２２】
以上説明したように、本実施の形態にかかる分散アンテナシステムは、指向性が反対方向となる２つのアンテナを１組として移動局走路に沿って分散配置し、また、指向性方向が同じアンテナ同士を移動局走路の同じ側に設置する構成とした。さらに、連続する複数のアンテナにより１つのアンテナ群を形成し、同一アンテナ群内の各アンテナは同一周波数で同一信号を送信してリニアセルを形成する構成とした。また、移動局走路を挟んで向かい合ったアンテナ群同士は、同じ周波数を使用し、かつ同じ信号を送信する構成とした。さらに、隣接するアンテナ群間の送信周波数を異なる周波数とする２周波数繰り返し構成とした。これにより、移動局がすれ違った場合に通信の瞬断が発生しなくなり、通信の信頼性を向上させることができる。
【００２３】
また、動画像データなど、通信の瞬断は許容されるものの大容量伝送が必要なデータについては、アンテナ２−ｃ−ｎａおよび２−ｃ−ｎｂのそれぞれから異なるデータを送信するようにしてもよい。指向性方向ごとに異なる送信データとすることで、移動局走路の片側のみにアンテナを設置する場合と比較して、伝送速度を２倍とすることができる。
【００２４】
また、指向性方向が異なるアンテナから放射される電波を偏波面が互いに直交する電波としてもよい。一例として、アンテナ２−ｃ−ｎａが放射する電波を垂直偏波とし、アンテナ２−ｃ−ｎｂが放射する電波を水平偏波としてもよい。このとき、移動局４が備えるアンテナの偏波面は、アンテナ５０が水平偏波、アンテナ５１が垂直偏波となる。なお、偏波の組合せはこれに限らず、直交性が実現できればどのような組み合わせでもよく、垂直偏波アンテナを右方向に４５°傾けたアンテナと垂直偏波アンテナを左方向に４５°傾けたアンテナの組合せとしてもよく、また、右旋円偏波アンテナと左旋円偏波アンテナの組合せとしてもよい。
【００２５】
指向性方向が異なる２組のアンテナから放射されるそれぞれの電波の偏波面を直交させることで、指向性方向が異なるアンテナ間での同一周波数干渉を抑圧することができ、通信品質を向上させることができる。
【００２６】
なお、図１の説明では、簡単化のため、アンテナ群１−ｃａに属するアンテナ２−ｃ−ｎａの本数およびアンテナ群１−ｃｂに属するアンテナ２−ｃ−ｎｂの本数をそれぞれ３本として説明したが、これに限る必要はなく、２以上の任意の整数本としてよい。
【００２７】
実施の形態２．
図３は、本発明の実施の形態２にかかる分散アンテナシステムの構成例を示す図である。実施の形態２にかかる分散アンテナシステム６１は、実施の形態１で説明した図１に記載の分散アンテナシステム６０が備えているアンテナ群１−ｃｂに属するアンテナ２−ｃ−ｎｂの送信周波数を変更したものである。本実施の形態では実施の形態１と異なる部分について説明し、実施の形態１と同じ部分については説明を省略する。
【００２８】
本実施の形態にかかる分散アンテナシステム６１では、アンテナ群インデックスｃが同じで指向性方向が異なるアンテナから異なる周波数の信号を送信することとする。すなわち、アンテナ２−ｃ−ｎａの送信周波数とアンテナ２−ｃ−ｎｂの送信周波数とを異なる値とする。一例として、アンテナ群１−１ａに属するアンテナ２−１−ｎａの送信周波数をｆ１とすると、アンテナ群１−１ｂに属するアンテナ２−１−ｎｂの送信周波数およびアンテナ群１−２ａに属するアンテナ２−２−ｎａの送信周波数をｆ２（≠ｆ１）とする。また、アンテナ群１−２ｂに属するアンテナ２−２−ｎｂの送信周波数をｆ１とする。
【００２９】
以上説明したように、本実施の形態にかかる分散アンテナシステムは、実施の形態１の構成に対して、移動局走路を挟んで設置される２アンテナの送信周波数を異なる値とした。これにより、同一周波数干渉が発生する可能性のあるエリアを沿線全域からリニアセル境界のみに限定させることができ、実施の形態１と比較して、通信品質を向上させることができる。
【００３０】
実施の形態３．
図４は、本発明の実施の形態３にかかる分散アンテナシステムの構成例を示す図である。実施の形態３にかかる分散アンテナシステム６２は、実施の形態２で説明した、図３に記載の分散アンテナシステム６１のアンテナ群１−ｃｂの境界位置を変更したものである。本実施の形態では実施の形態２と異なる部分について説明し、実施の形態２と同じ部分については説明を省略する。
【００３１】
実施の形態２では、アンテナ群インデックスｃおよびアンテナ群内におけるアンテナインデックスｎがともに同じ値となるアンテナ２−ｃ−ｎａおよび２−ｃ−ｎｂは、移動局走路を挟んだ向かい側にそれぞれ設置されるものとしたが、本実施の形態では、これら２アンテナの設置位置をアンテナ設置位置の１地点分だけオフセットさせる。このとき、アンテナ群１−ｃａに属するアンテナ２−ｃ−ｎａのうち指向性方向とは反対方向の端のアンテナ２−ｃ−Ｎａと、アンテナ群１−（ｃ＋１）ｂに属するアンテナ２−（ｃ＋１）−ｎｂのうち指向性方向とは反対方向の端のアンテナ２−（ｃ＋１）−１ｂを、移動局走路を挟んだ向かい側にそれぞれ設置する。ここで、Ｎはアンテナ群１−ｃａにおけるアンテナ２−ｃ−ｎａの本数とし、図４ではＮ＝３である。また、アンテナ群１−ｃｂにおけるアンテナ２−ｃ−ｎｂの本数もＮとする。一例として、アンテナ２−１−３ａおよびアンテナ２−２−１ｂを、移動局走路を挟んだ向かい側にそれぞれ設置する。このとき、アンテナ２−１−ｎａおよびアンテナ２−１−（ｎ＋１）ｂ（ただし、ｎ＝１、２（＝Ｎ−１））を、移動局走路を挟んだ向かい側にそれぞれ設置する。
【００３２】
以上説明したように、本実施の形態にかかる分散アンテナシステムは、実施の形態２の構成に対して、片側の移動局走路側に設置されるアンテナを１地点分だけオフセットさせるようにした。これにより、沿線全域において移動局の前方から到来する電波の周波数と移動局の後方から到来する電波の周波数を異なる値にすることができるため、沿線全域において同一周波数干渉が発生する可能性が低くなり、実施の形態２と比較して、さらに通信品質を向上させることができる。
【００３３】
各実施の形態では、各アンテナ群に属するアンテナの数が同じ場合について説明したがこれに限定するものではない。各アンテナ群に属するアンテナの数はアンテナ群ごとに異なっていてもよい。
【００３４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３５】
１−１ａ〜１−３ａ，１−１ｂ〜１−４ｂ  アンテナ群、２−１−１ａ〜２−３−３ａ，２−１−１ｂ〜２−３−３ｂ，２−４−１ｂ，５０，５１  アンテナ、３０，３１  移動局走路、４  移動局、６０〜６２  分散アンテナシステム。
【図１】
2017163425.tif 000003
【図２】
2017163425.tif 000004
【図３】
2017163425.tif 000005
【図４】
2017163425.tif 000006
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
移動局の走路である移動局走路に沿った第１方向に向けてビームを形成して同一周波数で同一信号を送信する複数の第１のアンテナを備えた複数の第１のアンテナ群と、
前記第１方向の反対方向である第２方向に向けてビームを形成して同一周波数で同一信号を送信する複数の第２のアンテナを備えた複数の第２のアンテナ群と、
を備え、
前記複数の第１のアンテナと前記複数の第２のアンテナとが前記移動局走路を挟んで向かい合わせに設置され、
前記複数の第１のアンテナ群の各々では、隣接している他の第１のアンテナ群で使用されている周波数とは異なる周波数を使用し、
前記複数の第２のアンテナ群の各々では、隣接している他の第２のアンテナ群で使用されている周波数とは異なる周波数を使用し、
前記第１のアンテナ群が使用する周波数と前記第２のアンテナ群が使用する周波数の合計を２周波数とし、
前記第１のアンテナおよび前記第２のアンテナは、１つの第１のアンテナと１つの第２のアンテナとが前記移動局走路を挟んで前記移動局走路と平行方向の同一位置となるように設置されており、
前記第１のアンテナ群の前記第２方向の端部に位置している第１のアンテナと前記第２のアンテナ群の前記第１方向の端部に位置している第２のアンテナとが前記移動局走路を挟んで前記移動局走路と平行方向の同一位置に設置されて同じ周波数を使用するように、前記複数の第１のアンテナ群および前記複数の第２のアンテナ群が形成されている、
ことを特徴とする分散アンテナシステム。
【請求項２】
高信頼性伝送を行う際は、前記第１のアンテナ群の前記第２方向の端部に位置している第１のアンテナ以外の第１のアンテナは、前記移動局走路を挟んで前記移動局走路と平行方向の同一位置となるように設置されている第２のアンテナが送信する信号と同じ信号を送信し、
大容量伝送を行う際は、前記第１のアンテナ群の前記第２方向の端部に位置している第１のアンテナ以外の第１のアンテナは、前記移動局走路を挟んで前記移動局走路と平行方向の同一位置となるように設置されている第２のアンテナが送信する信号と異なる信号を送信する、
ことを特徴とする請求項１に記載の分散アンテナシステム。
【国際調査報告】
2017163425.tif 000007
2017163425.tif 000008
2017163425.tif 000009
2017163425.tif 000010